【手続補正書】
【提出日】令和1年9月12日(2019.9.12)
【手続補正１】
【補正対象書類名】特許請求の範囲
【補正対象項目名】全文
【補正方法】変更
【補正の内容】
【特許請求の範囲】
【請求項１】
流入口及び流出口が設けられた弁本体と、前記流出口を開閉するための主弁体と、該主弁体が配在されるとともに、該主弁体によって主弁室と背圧室とに仕切られた収納室と、前記主弁室ないし前記流入口の圧力を前記背圧室に供給するための圧力供給通路とを備え、前記主弁体に前記背圧室の圧力を前記流出口へ逃がすためのパイロット通路が設けられ、該パイロット通路を昇降駆動装置により昇降駆動されるパイロット弁体で開閉することにより、該パイロット弁体に応動して前記流出口を前記主弁体で開閉するようにされたパイロット式制御弁であって、
前記主弁体は、弾性部材で作製され、前記流出口を開閉するとともに前記パイロット弁体が接離するパイロット弁座が設けられたダイヤフラムと、該ダイヤフラムの剛性を保持するための補強部材とを有し、
前記ダイヤフラムは、前記補強部材の一方面に形成され且つ前記流出口を開閉する主弁体部を持つ一方側シール部と、該一方側シール部の外周に延設されて前記弁本体に固定される弾性変形部と、前記補強部材の他方面に形成され且つ前記パイロット弁座を持つ他方側シール部と、前記一方側シール部と前記他方側シール部とを連結する連結部とから構成され、
前記補強部材に、前記主弁体の最大リフト位置を定めるストッパが備えられていることを特徴とするパイロット式制御弁。
【請求項２】
流入口及び流出口が設けられた弁本体と、前記流出口を開閉するための主弁体と、該主弁体が配在されるとともに、該主弁体によって主弁室と背圧室とに仕切られた収納室と、前記主弁室ないし前記流入口の圧力を前記背圧室に供給するための圧力供給通路とを備え、前記主弁体に前記背圧室の圧力を前記流出口へ逃がすためのパイロット通路が設けられ、該パイロット通路を昇降駆動装置により昇降駆動されるパイロット弁体で開閉することにより、該パイロット弁体に応動して前記流出口を前記主弁体で開閉するようにされたパイロット式制御弁であって、
前記主弁体は、弾性部材で作製され、前記流出口を開閉するとともに前記パイロット弁体が接離するパイロット弁座が設けられたダイヤフラムと、該ダイヤフラムの剛性を保持するための補強部材とを有し、
前記ダイヤフラムは、前記補強部材の一方面に形成され且つ前記流出口を開閉する主弁体部を持つ一方側シール部と、該一方側シール部の外周に延設されて前記弁本体に固定される弾性変形部と、前記補強部材の他方面に形成され且つ前記パイロット弁座を持つ他方側シール部と、前記一方側シール部と前記他方側シール部とを連結する連結部とから構成され、
前記圧力供給通路は、前記ダイヤフラムに開設された一方側連通穴と前記補強部材に開設された他方側連通穴とで構成されていることを特徴とするパイロット式制御弁。
【請求項３】
前記ダイヤフラムと前記補強部材とが一体化されていることを特徴とする請求項１又は２に記載のパイロット式制御弁。
【請求項４】
前記ダイヤフラムと前記補強部材とがインサート成形により一体化されていることを特徴とする請求項３に記載のパイロット式制御弁。
【請求項５】
前記補強部材に、前記主弁体の最大リフト位置を定めるストッパが備えられていることを特徴とする請求項２に記載のパイロット式制御弁。
【請求項６】
前記ストッパは、前記補強部材に一体もしくは別体に形成されていることを特徴とする請求項１又は５に記載のパイロット式制御弁。
【請求項７】
前記補強部材は、前記ダイヤフラムの周縁に設けられた前記弾性変形部より内側に配設されていることを特徴とする請求項１から６のいずれか一項に記載のパイロット式制御弁。
【請求項８】
前記連結部は、前記補強部材に設けられた通し穴内に形成されていることを特徴とする請求項１から７のいずれか一項に記載のパイロット式制御弁。
【請求項９】
前記パイロット弁座は、前記他方側シール部における前記連結部より内側に設けられていることを特徴とする請求項８に記載のパイロット式制御弁。
【請求項１０】
前記主弁体部は、前記一方側シール部における前記連結部より外側に設けられていることを特徴とする請求項８又は９に記載のパイロット式制御弁。
【請求項１１】
前記補強部材は、樹脂製又は金属製であることを特徴とする請求項１から１０のいずれか一項に記載のパイロット式制御弁。
【請求項１２】
前記パイロット弁体は、樹脂製又は金属製であることを特徴とする請求項１から１１のいずれか一項に記載のパイロット式制御弁。
【請求項１３】
前記昇降駆動装置は、電磁式アクチュエータ又は電動モータで構成されていることを特徴とする請求項１から１２のいずれか一項に記載のパイロット式制御弁。
【手続補正２】
【補正対象書類名】明細書
【補正対象項目名】０００８
【補正方法】変更
【補正の内容】
【０００８】
上記の目的を達成すべく、本発明に係るパイロット式制御弁は、基本的に、流入口及び流出口が設けられた弁本体と、前記流出口を開閉するための主弁体と、該主弁体が配在されるとともに、該主弁体によって主弁室と背圧室とに仕切られた収納室と、前記主弁室ないし前記流入口の圧力を前記背圧室に供給するための圧力供給通路とを備え、前記主弁体に前記背圧室の圧力を前記流出口へ逃がすためのパイロット通路が設けられ、該パイロット通路を昇降駆動装置により昇降駆動されるパイロット弁体で開閉することにより、該パイロット弁体に応動して前記流出口を前記主弁体で開閉するようにされ、前記主弁体は、弾性部材で作製され、前記流出口を開閉するとともに前記パイロット弁体が接離するパイロット弁座が設けられたダイヤフラムと、該ダイヤフラムの剛性を保持するための補強部材とを有し、前記ダイヤフラムは、前記補強部材の一方面に形成され且つ前記流出口を開閉する主弁体部を持つ一方側シール部と、該一方側シール部の外周に延設されて前記弁本体に固定される弾性変形部と、前記補強部材の他方面に形成され且つ前記パイロット弁座を持つ他方側シール部と、前記一方側シール部と前記他方側シール部とを連結する連結部とから構成され、前記補強部材に、前記主弁体の最大リフト位置を定めるストッパが備えられていることを特徴としている。
【手続補正３】
【補正対象書類名】明細書
【補正対象項目名】０００９
【補正方法】変更
【補正の内容】
【０００９】
また、本発明に係るパイロット式制御弁は、基本的に、流入口及び流出口が設けられた弁本体と、前記流出口を開閉するための主弁体と、該主弁体が配在されるとともに、該主弁体によって主弁室と背圧室とに仕切られた収納室と、前記主弁室ないし前記流入口の圧力を前記背圧室に供給するための圧力供給通路とを備え、前記主弁体に前記背圧室の圧力を前記流出口へ逃がすためのパイロット通路が設けられ、該パイロット通路を昇降駆動装置により昇降駆動されるパイロット弁体で開閉することにより、該パイロット弁体に応動して前記流出口を前記主弁体で開閉するようにされ、前記主弁体は、弾性部材で作製され、前記流出口を開閉するとともに前記パイロット弁体が接離するパイロット弁座が設けられたダイヤフラムと、該ダイヤフラムの剛性を保持するための補強部材とを有し、前記ダイヤフラムは、前記補強部材の一方面に形成され且つ前記流出口を開閉する主弁体部を持つ一方側シール部と、該一方側シール部の外周に延設されて前記弁本体に固定される弾性変形部と、前記補強部材の他方面に形成され且つ前記パイロット弁座を持つ他方側シール部と、前記一方側シール部と前記他方側シール部とを連結する連結部とから構成され、前記圧力供給通路は、前記ダイヤフラムに開設された一方側連通穴と前記補強部材に開設された他方側連通穴とで構成されていることを特徴としている。
【手続補正４】
【補正対象書類名】明細書
【補正対象項目名】００１９
【補正方法】削除
【補正の内容】